(57)【要約】【課題】放送波を用いて個別に指定した受信装置のみがコンテンツを受信できるような起動指示を配信する配信装置と、コンテンツ受信時よりも少ない消費電力で起動指示を受信できるような受信装置とを提供すること。【解決手段】配信装置１１０は、コンテンツを受信する受信対象の受信装置情報が設定されると、受信装置の受信機能の起動を指示する指示情報と受信装置情報からなる起動情報を生成する。この起動情報を放送波の副伝送波に組み込み、主伝送波と起動情報が組み込まれた副伝送波とから構成された放送波を配信する。受信装置１２０は、放送波の副伝送波を受信し、副伝送波から、受信対象の受信装置情報と当該受信装置の受信機能の起動を指示する指示情報とから構成された起動情報を検出し、起動情報に含まれている受信装置情報と、自装置の情報とを比較し、比較結果に応じて受信機能の起動指示を出力し主伝送波を受信させる。【選択図】図１
2008252394.tif 000002
【特許請求の範囲】
【請求項１】
コンテンツを伝送する主伝送波と、当該主伝送波の伝送制御に関する情報を伝送する副伝送波とから構成される放送波を受信装置に配信する配信装置であって、
前記コンテンツを受信する受信対象の受信装置情報を設定する設定手段と、
前記受信装置の受信機能の起動を指示する指示情報と、前記設定手段により設定された受信装置情報とを用いて起動情報を生成する生成手段と、
前記生成手段により生成された起動情報を前記副伝送波に組み込む組込手段と、
前記主伝送波と、前記組込手段により起動情報が組み込まれた副伝送波とから構成された放送波を配信する配信手段と、
を備えることを特徴とする配信装置。
【請求項２】
前記設定手段は、前記受信対象の受信装置情報として、受信装置の識別情報、位置情報および属性情報のいずれか一つ以上を設定することを特徴とする請求項１に記載の配信装置。
【請求項３】
前記生成手段は、前記起動情報により起動させた受信機能の停止を指示する指示情報と、前記設定手段により設定された受信装置情報とを用いて停止情報を生成することを特徴とする請求項１または２に記載の配信装置。
【請求項４】
コンテンツを伝送する主伝送波と、当該主伝送波の伝送制御に関する情報を伝送する副伝送波とから構成される放送波を受信する受信装置であって、
前記副伝送波を受信する副伝送波受信手段と、
前記副伝送波受信手段により受信された副伝送波から、受信対象の受信装置情報と当該受信装置の受信機能の起動を指示する指示情報とから構成された起動情報を検出する検出手段と、
前記検出手段により検出された起動情報に含まれている受信装置情報と、自装置の情報とを比較し、比較結果に応じて受信機能の起動指示を出力する制御手段と、
前記制御手段から起動指示が出力されると、前記主伝送波を受信する主伝送波受信手段と、
を備えることを特徴とする受信装置。
【請求項５】
前記検出手段が、前記副伝送波から、前記受信装置情報と前記主伝送波を受信する機能の停止を指示する停止情報とから構成された停止情報を検出した場合に、
前記制御手段は、前記停止情報に含まれている前記受信装置情報と、自装置の情報とを比較し、比較結果に応じて受信機能を停止させる停止指示を出力し、
前記主伝送波受信手段は、前記制御手段から停止指示が出力されると、前記主伝送波の受信を停止することを特徴とする請求項４に記載の受信装置。
【請求項６】
前記制御手段は、前記受信装置情報として受信装置の識別情報、位置情報および属性情報のいずれか一つ以上の情報と、自装置の情報とを比較することを特徴とする請求項４または５に記載の受信装置。
【請求項７】
コンテンツを伝送する主伝送波と、当該主伝送波の伝送制御に関する情報を伝送する副伝送波とから構成される放送波を自動受信させる受信装置の起動方法であって、
前記コンテンツを受信する受信対象の受信装置情報を設定する設定工程と、
前記受信装置の受信機能の起動を指示する指示情報と、前記設定手段により設定された受信装置情報とを用いて起動情報を生成する生成工程と、
前記生成工程により生成された起動情報を前記副伝送波に組み込む組込工程と、
前記主伝送波と、前記組込手段により起動情報が組み込まれた副伝送波とから構成された放送波を配信する配信工程と、
を含むことを特徴とする起動方法。
【請求項８】
コンテンツを伝送する主伝送波と、当該主伝送波の伝送制御に関する情報を伝送する副伝送波とから構成される放送波を自動受信させる受信装置の起動方法であって、
前記副伝送波を受信する副伝送波受信工程と、
前記副伝送波受信工程により受信された副伝送波から、受信対象の受信装置情報と当該受信装置の受信機能の起動を指示する指示情報とから構成された起動情報を検出する検出工程と、
前記検出工程により検出された起動情報に含まれている受信装置情報と、自装置の情報とを比較し、比較結果に応じて受信機能の起動指示を出力する出力工程と、
前記出力工程により起動指示が出力されると、前記主伝送波を受信する主伝送波受信工程と、
を含むことを特徴とする起動方法。
【請求項９】
請求項７および８に記載の起動方法をコンピュータに実行させることを特徴とする起動プログラム。
【発明の詳細な説明】
【技術分野】
【０００１】
この発明は、コンテンツを配信する主伝送波と、当該主伝送波の伝送制御に関する情報を配信する副伝送波とから構成される放送波を配信する配信装置と、放送波を受信する受信装置と、受信装置の受信機能を起動させる起動方法および起動プログラムに関する。
【背景技術】
【０００２】
従来、配信装置から配信された情報を受信装置が自動的受信できるように、配信装置から受信装置の起動指示を配信する技術が提供されている。このような技術を用いることにより、たとえば、緊急時に緊急放送を自動的受信するとともに、非常災害時に必要とする安否情報を速やかに取得し、緊急情報として提供することができる。
【０００３】
具体的には、配信装置と受信装置とが通信回線を経由して接続されている配信システムが開示されている。この配信システムでは、配信装置が通信回線を経由して起動させる受信装置を指定する。そして配信装置から、指定した受信装置へ起動指示を配信する（たとえば、下記特許文献１参照。）。
【０００４】
また、地上デジタル放送システムにより配信されるデジタル放送波を用いて、受信装置が伝送制御信号を受信する際の待機電力を削減させる伝送制御信号受信機と、この伝送制御信号を用いた地上デジタルテレビジョン放送受信機とが開示されている（たとえば、下記特許文献２参照。）。
【０００５】
さらに、あらかじめ端末側の受信装置の属性を登録し、センター側から番組を配信する際に、番組に属性を付加して配信する配信装置を用いて、番組を受信する受信装置を選別でことができる放送システムが開示されている（たとえば、下記特許文献３参照。）。
【０００６】
【特許文献１】特開２００３−３４８０３４号公報
【特許文献２】特開２００５−２９５０５３号公報
【特許文献３】特許第３１３１５６４号明細書
【発明の開示】
【発明が解決しようとする課題】
【０００７】
しかしながら、上記特許文献１は、通信回線によって配信装置と各受信装置とが接続されているため、通信回線から配信先の受信装置を指定し、指定した受信装置に対してのみ、放送波からコンテンツを受信するように制御できる。したがって、通信回線に接続されていない受信装置に対しては、各受信装置がコンテンツを自動受信させるように指定することができないという問題があった。
【０００８】
また、上記特許文献２は、通信回線に接続されていない受信装置であっても、放送波を受信可能な受信装置であれば、受信機能を起動させ、自動受信させることができる。しかしながら、放送波を受信可能なエリアに位置する全受信装置を一斉に起動させることはできるが、受信機能を起動させたい受信装置を個別に設定することはできないという問題があった。
【０００９】
また、上記特許文献３は、コンテンツ（番組）に付加されている属性の情報に基づいて受信装置が受信機能を起動させるか否かを判断する。したがって、属性を設定することにより、自動受信させる受信装置を設定することができる。ところが、各受信装置が属性に基づいてコンテンツを受信するか否か判断するには、常にコンテンツを受信できる状態にしておかなければならない。したがって、受信装置は、コンテンツを受信していない状態であっても、常時受信機能を起動させているのと変わらなく、コンテンツを受信している状態と同様の電力を消費してしまうという問題があった。
【００１０】
この発明は、上述した従来技術による問題点を解消するため、放送波を用いて個別に指定した受信装置のみがコンテンツを受信できるような起動指示を配信する配信装置と、コンテンツ受信時よりも少ない消費電力で起動指示を受信できる受信装置と、これらの装置による起動方法および起動プログラムを提供することを目的とする。
【課題を解決するための手段】
【００１１】
上述した課題を解決し、目的を達成するため、請求項１の発明にかかる配信装置は、コンテンツを伝送する主伝送波と、当該主伝送波の伝送制御に関する情報を伝送する副伝送波とから構成される放送波を受信装置へ配信する配信装置であって、前記コンテンツを受信する受信対象の受信装置情報を設定する設定手段と、前記受信装置の受信機能の起動を指示する指示情報と、前記設定手段により設定された受信装置情報とを用いて起動情報を生成する生成手段と、前記生成手段により生成された起動情報を前記副伝送波に組み込む組込手段と、前記主伝送波と、前記組込手段により起動情報が組み込まれた副伝送波とから構成された放送波を配信する配信手段と、を備えることを特徴とする。
【００１２】
この請求項１の発明によれば、副伝送波を用いて特定の受信装置を指定する情報（受信装置情報）と、受信装置への起動指示する指示情報とを配信することができる。したがって、指定した受信装置の受信機能を起動させることができる。
【００１３】
また、請求項４の発明にかかる受信装置は、コンテンツを伝送する主伝送波と、当該主伝送波の伝送制御に関する情報を伝送する副伝送波とから構成される放送波を受信する受信装置であって、前記副伝送波を受信する副伝送波受信手段と、前記副伝送波受信手段により受信された副伝送波から、受信対象の受信装置情報と当該受信装置の受信機能の起動を指示する指示情報とから構成された起動情報を検出する検出手段と、前記検出手段により検出された起動情報に含まれている受信装置情報と、自装置の情報とを比較し、比較結果に応じて受信機能の起動指示を出力する制御手段と、前記制御手段から起動指示が出力されると、前記主伝送波を受信する主伝送波受信手段と、を備えることを特徴とする。
【００１４】
この請求項４に記載の発明によれば、副伝送波を受信する機能を起動させておくことにより、起動情報を受信することができる。この起動情報の内容を参照することにより、主伝送波を受信する機能を指示があった場合にのみ主伝送波を受信する機能を起動させる。したがって、効率的にコンテンツを受信することができる。
【００１５】
また、請求項７の発明にかかる起動方法は、コンテンツを伝送する主伝送波と、当該主伝送波の伝送制御に関する情報を伝送する副伝送波とから構成される放送波を自動受信させる受信装置の起動方法であって、前記コンテンツを受信する受信対象の受信装置情報を設定する設定工程と、前記受信装置の受信機能の起動を指示する指示情報と、前記設定手段により設定された受信装置情報とを用いて起動情報を生成する生成工程と、前記生成工程により生成された起動情報を前記副伝送波に組み込む組込工程と、前記主伝送波と、前記組込手段により起動情報が組み込まれた副伝送波とから構成された放送波を配信する配信工程と、を含むことを特徴とする。
【００１６】
この請求項７の発明によれば、副伝送波を用いて特定の受信装置を指定する情報（受信装置情報）と、受信装置への起動指示する指示情報とを配信することができる。したがって、指定した受信装置の受信機能を起動させることができる。
【００１７】
また、請求項８の発明にかかる起動方法は、コンテンツを伝送する主伝送波と、当該主伝送波の伝送制御に関する情報を伝送する副伝送波とから構成される放送波を自動受信させる受信装置の起動方法であって、前記副伝送波を受信する副伝送波受信工程と、前記副伝送波受信工程により受信された副伝送波から、受信対象の受信装置情報と当該受信装置の受信機能の起動を指示する指示情報とから構成された起動情報を検出する検出工程と、前記検出工程により検出された起動情報に含まれている受信装置情報と、自装置の情報とを比較し、比較結果に応じて受信機能の起動指示を出力する出力工程と、前記出力工程により起動指示が出力されると、前記主伝送波を受信する主伝送波受信工程と、を含むことを特徴とする。
【００１８】
この請求項８の発明によれば、副伝送波を受信する機能を起動させておくことにより、起動情報を受信することができる。この起動情報の内容を参照することにより、主伝送波を受信する機能を指示があった場合にのみ主伝送波を受信する機能を起動させる。したがって、効率的にコンテンツを受信することができる
【００１９】
また、請求項９の発明にかかる起動プログラムは、請求項７または８に記載の起動方法をコンピュータに実行させることを特徴とする。
【発明の効果】
【００２０】
本発明にかかる配信装置、受信装置、起動方法および起動プログラムによれば、放送波を用いて個別に指定した受信装置のみがコンテンツを受信できるような起動指示を配信し、なおかつ、コンテンツ受信時よりも少ない消費電力で起動指示を受信できるという効果を奏する。
【発明を実施するための最良の形態】
【００２１】
以下に添付図面を参照して、この発明にかかる配信装置、受信装置、起動方法および起動プログラムの好適な実施の形態を詳細に説明する。
【００２２】
（システム構成）
まず、本発明にかかる起動方法を実現するためのシステム構成について説明する。図１は、本発明のシステム構成の概要を示す説明図である。図１のようにシステム１００は、配信装置１１０と、受信装置１２０と、中継装置１３０とにより構成される。
【００２３】
図１のシステム１００において、配信装置１１０は、中継装置１３０を用いて受信装置１２０へ放送波を配信する。配信装置１１０から配信される放送波は、主伝送波と、副伝送波とにより構成されている。主伝送波は、放送波の主目的であるコンテンツの伝送に用いられる。また、副伝送波は、主伝送波の伝送制御に関する情報の伝送に用いられる。
【００２４】
なお、コンテンツとは、一般的に映像データや音声データにより構成されたデータである。具体的には、たとえば、ニュース番組、ドラマ、音楽番組、スポーツ中継やアニメなどの放送番組である。また、コンテンツは、上述した通常の放送番組の他に、災害時の緊急放送や、政見放送や開票速報など地域性の高いニュースや広告など、臨時の放送番組も含む。
【００２５】
配信装置１１０から出力された放送波は、中継装置１３０により増幅され、高所から電波として出力されることにより受信装置１２０へ配信される。受信装置１２０は、配信装置１１０から配信された放送波を受信する機能を備えた装置である。また、受信装置１２０は、配信装置１１０から配信された放送波を受信できるエリアであれば、その数に制限はない。さらに、受信装置１２０は、固定の位置に備え付けられた装置であってもよいし、携帯可能な装置であってもよい。これらの受信装置１２０には主伝送波を受信するチューナ機能と、副伝送波を受信するチューナ機能とが備えられている。
【００２６】
本発明は、以上説明したようなシステム１００を構成する配信装置１１０からコンテンツを配信する際に利用される。具体的には、配信装置１１０の利用者が受信対象に指定した受信装置１２０がコンテンツを受信できるよう、放送波の副伝送波を用いて受信装置１２０の受信機能を自動的に起動させる。また、本発明では、受信装置１２０の消費電力を低減させるため、配信装置１１０からコンテンツを受信する旨の指示があった場合にのみ、主伝送波を受信する機能を起動させる。
【００２７】
具体的には、受信装置１２０は、通常時、副伝送波のみを受信するような構成になっている。これは、副伝送波は主伝送波と比較して狭い帯域の電波のみで受信できるためであり、この構成により受信チューナの消費電力を抑えることができる。そして、指定した受信装置１２０に主伝送波を受信させる場合には、主伝送波の受信機能を起動させる情報と受信装置を識別させる情報を副伝送波に組み込み、受信装置１２０に受信させる。
【００２８】
上述したような手順により、本発明は、選択した受信装置１２０のみにコンテンツを受信させることができる。なお、本発明は、基本的には、デジタル放送波によって配信されたコンテンツを自動的に受信させる技術であるが、受信装置１２０の受信機能を起動させるための副伝送波は、デジタル放送波、アナログ放送波の種類を問わない。したがって、以下にデジタル放送波のみを用いた場合と、デジタル放送波とアナログ放送波とを併用した場合とのそれぞれの実施の形態について説明する。
【００２９】
（実施の形態１）
実施の形態１では、デジタル放送波のみを用いて指定した受信装置１２０にコンテンツを受信させる。デジタル放送波の場合、上述したように受信装置１２０の受信機能を起動させる指示信号を伝送するために、副伝送波としてＡＣ（Ａｕｘｉｌｉａｒｙ  Ｃｈａｎｎｅｌ）キャリアを利用する。以下、実施の形態１にかかる配信装置１１０および受信装置１２０の構成と処理の手順について説明する。
【００３０】
（配信装置の機能的構成）
まず、実施の形態１における配信装置１１０の機能的構成について説明する。図２−１は、配信装置の機能的構成を示すブロック図である。実施の形態１の場合、配信装置１１０は、デジタル放送コンテンツ取得部１１１と、設定手段および生成手段としての起動情報生成部１１２と、組込手段および配信手段としてのデジタル放送配信部１１３とにより構成される。
【００３１】
なお、図２−１に示した配信装置１１０のアナログ放送コンテンツ取得部１１４と、サブキャリア生成部１１５と、アナログ放送配信部１１６とは、アナログ放送波の配信を実現するための機能であり、実施の形態１においては必須の構成ではない。したがって、機能部１１４〜１１６の機能の詳細については実施の形態２で説明する。
【００３２】
図２−１において、デジタル放送コンテンツ取得部１１１は、コンテンツ配信元から提供されたデジタル放送用のコンテンツを取得する。そして取得されたデジタル放送用のコンテンツは、後述するデジタル放送配信部１１３に出力され、主伝送波として配信される。
【００３３】
ここで、コンテンツ配信元とは、公共放送局や民間放送局の他に、プロバイダや、番組制作会社、地方自治体など、各放送局にコンテンツの配信を委託した機関などである。なお、デジタル放送波によって配信するコンテンツの場合、データの多重化が可能である。したがって、デジタル放送コンテンツ取得部１１１は、コンテンツに多重化するテキスト情報や画像情報を取得してもよい。
【００３４】
起動情報生成部１１２は、利用者（たとえば、コンテンツ配信元）から受信対象となる受信装置１２０の情報（受信装置情報）の設定を受け付ける。そして、起動情報生成部１１２は、設定された受信装置情報を用いて起動情報を生成する。起動情報は、指定した受信装置１２０へ起動指示をおこなうための情報である。この起動情報は、受信装置情報と、受信装置の受信機能の起動を指示する指示情報とにより構成されている。
【００３５】
受信装置情報は、上述したように受信対象となる受信装置１２０をあらわす情報である。具体的には、識別情報、位置情報、属性情報などであり、利用者により任意に設定される。この受信装置情報の設定が、コンテンツを受信させる受信装置１２０の指定処理となる。
【００３６】
なお、識別情報とは、たとえばＩＰアドレスなど受信装置１２０に付与されている認識番号の情報である。ＩＰアドレスは、個別のアドレスを指定してもよいし、グループをあらわすアドレスを指定してもよい。また、位置情報とは、たとえば中心の緯度経度と半径距離とからなるエリア指定情報などである。また、属性情報とは、たとえば受信装置１２０の利用者の性別、年齢、嗜好などの情報である。
【００３７】
また、起動情報を構成する指示情報とは、起動情報を受信した受信装置１２０にどのような処理をおこなわせるかが設定された情報である。したがって、通常、指示情報は、受信装置１２０において主伝送波を受信する機能を起動させる指示によって構成されている。なお、指示情報の内容は主伝送波を受信する機能の起動に限らず、任意に設定することができる。たとえば、受信装置１２０に格納されているコンテンツ再生用のアプリケーションを起動させたいなど、他の機能を起動させたい場合には、指示情報の構成を他の機能を起動させる指示に変更すればよい。
【００３８】
また、起動情報の配信により、すでに受信機能が起動された受信装置１２０に対して、コンテンツの受信機能を停止させたい場合には、受信機能を停止させる内容によって構成された指示情報を用いればよい。このような指示情報を用いて生成された起動情報は「停止情報」として配信される。「停止情報」に受信対象に指定されたている受信装置１２０は、「停止情報」を受信することにより、受信機能が停止される。
【００３９】
上述したような指示情報は、あらかじめ起動情報生成部１１２に格納され、利用者から受信装置情報が設定されると自動的に起動情報を生成するようにしてもよいし、受信装置情報とともに利用者から指示情報の設定を受け付け、その都度、設定された指示情報により起動情報を生成してもよい。さらに、主伝送波の受信機能の起動と、再生機能の起動とを起動情報生成の際に同時に組み込むなど、一度に複数の指示情報を配信してもよい。
【００４０】
デジタル放送配信部１１３は、起動情報生成部１１２により生成された起動情報を組み込んだＡＣキャリアと、デジタル放送コンテンツ取得部１１１によって取得されたコンテンツを組み込んだ主伝送波とをマルチプレクスしてデジタル放送波を構成し、受信装置１２０へ配信する。
【００４１】
また、デジタル放送配信部１１３において、ＡＣキャリアに起動情報を組み込む際には、様々な手法を用いることができる。図２−２は、組込部の構成の一例を示すブロック図である。この図２−２を参照してＡＣキャリアに起動情報を組み込むための具体的な構成の一例を説明する。図２−２に示した例の場合、デジタル放送配信部１１３における組み込み機能部は、マルチプレクサ２０１と、ＯＦＤＭ変調器２０２とから構成される。
【００４２】
マルチプレクサ２０１は、入力された２つの情報を多重して１つの情報として出力する機能部である。また、ＯＦＤＭ変調器２０２は、マルチキャリア・デジタル変調方式の１つであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）により入力された情報を変調して出力する機能部である。デジタル放送配信部１１３は、上述のマルチプレクサ２０１およびＯＦＤＭ変調器２０２の機能を用いて下記の２つの手法のいずれかを用いてＡＣキャリアに起動情報を組み込んでいる。
【００４３】
・手法１
手法１の場合、起動情報生成部１１２は、マルチプレクサ２０１に起動情報を入力する（Ｓ１）。入力される起動情報は、起動情報生成部１１２において、主伝送波に格納されているコンテンツと同じデータ形式（たとえば、ＭＰＥＧ２−ＴＳ形式）で生成されている。したがって、マルチプレクサ２０１にはデジタル放送コンテンツ取得部１１１からコンテンツが入力されており、このコンテンツと同じデータ形式の起動情報（ＡＣキャリア）とが多重化される。このとき、主伝送波に組み込まれるコンテンツと、ＡＣキャリアに組み込まれる起動情報とは、たとえばＭＰＥＧ２−ＴＳのように同じデータ形式で入力したとしても、パケットによって識別される。したがって、それぞれの情報は、主伝送波と、ＡＣキャリアとは、異なる種類の放送波として出力されるように多重化される。多重化された情報は、デジタル放送波としてＯＦＤＭ変調器２０２へ出力される。ＯＦＤＭ変調器２０２は、入力されたデジタル放送波をＯＦＤＭにより変調し、デジタル放送波として配信する。
【００４４】
・手法２
手法２の場合、起動情報生成部１１２は、ＯＦＤＭ変調器２０２に直接起動情報を入力する（Ｓ２）。入力される起動情報は、起動情報生成部１１２において、ＯＦＤＭ変調器２０２のインターフェースの仕様にあわせたデータ形式で生成されている。このデータ形式にあわせることにより、ＯＦＤＭ変調器２０２に入力されたコンテンツと、起動情報とがあわせてＯＦＤＭにより変調される。ＯＦＤＭ変調器２０２は、変調された情報をデジタル放送波として配信する。
【００４５】
（受信装置の機能的構成）
つぎに、受信装置１２０の機能的構成について説明する。図３は、受信装置の機能的構成を示すブロック図である。図３のように、受信装置１２０は、副伝送波受信手段としてのＡＣ受信チューナ部１２１と、検出手段としての検出部１２２と、装置情報格納部１２３と、制御手段としての制御部１２４と、主伝送波受信手段としてのデジタル放送受信チューナ部１２５と、再生部１２６とにより構成される。
【００４６】
なお、図３に示した受信装置１２０のサブキャリア受信チューナ部１２７と、アナログ放送受信チューナ部１２８とはアナログ放送波の配信を実現するための機能であり、実施の形態１においては必須の構成ではない。したがって、機能部１２７、１２８の機能の詳細については実施の形態２で説明する。
【００４７】
ＡＣ受信チューナ部１２１は、配信装置１１０から配信されたデジタル放送波からＡＣキャリアのみを受信する。なおＡＣ受信チューナ部１２１は、常時ＡＣキャリアを受信できるように受信機能を起動させた状態にしておく。このとき、受信対象となるＡＣキャリアは、特定の帯域の電波のみで構成されている。したがって、常時受信機能を起動させた状態であっても、ＡＣ受信チューナ部１２１は、主伝送波を受信するデジタル放送受信チューナ部１２５よりも少ない電力で動作させることができる。
【００４８】
検出部１２２は、ＡＣ受信チューナ部１２１により受信されたＡＣキャリアから起動情報を検出する。起動情報とは、図２−１の起動情報生成部１１２で説明したように、受信対象となる受信装置情報と、受信装置１２０の受信機能の起動を指示する指示情報とから構成された情報である。なお、検出部１２２により検出された起動情報は、制御部１２４へ出力される。
【００４９】
装置情報格納部１２３は、受信装置１２０をあらわす情報が格納されている。受信装置１２０をあらわす情報とは、具体的には配信装置１１０の起動情報生成部１１２に設定されたような受信装置１２０の識別情報、位置情報、属性情報などである。装置情報格納部１２３に格納された情報は、制御部１２４へ出力される。
【００５０】
制御部１２４は、検出部１２２により検出された起動情報に含まれている受信装置情報と、装置情報格納部１２３から出力された自装置（受信装置１２０）をあらわす情報とを比較し、比較結果に応じて指示情報の内容を出力する。比較結果とは、具体的には、受信装置情報の内容と、自装置をあらわす情報の内容が一致するか否である。
【００５１】
制御部１２４において、比較結果が受信装置情報と自装置の情報との一致をあらわしている場合、起動情報は、受信装置１２０を対象とした情報として扱われる。したがって、制御部１２４は、起動情報の中の指示情報をデジタル放送受信チューナ部１２５に出力する。配信装置１１０の起動情報生成部１１２において説明したように、上述したように、基本的に指示情報は受信装置１２０の主伝送波を受信する機能を起動させるための指示情報である。したがって、制御部１２４からデジタル放送受信チューナ部１２５へ起動指示が出力されたこととなる。
【００５２】
一方、制御部１２４において比較結果が一致しない場合、起動情報は、受信装置１２０を対象とした情報ではないとして扱われる。したがって、ＡＣ受信チューナ部１２１があらたなＡＣキャリアを受信し、このＡＣキャリアに組み込まれている起動情報が入力されるまで、制御部１２４は待機状態となる。
【００５３】
なお、上述した制御部１２４の処理は、受信装置１２０が主伝送波を受信する機能を起動させるための指示情報が組み込まれた場合について説明したが、受信したＡＣキャリアによっては、受信機能の起動を指示する指示情報以外の他の機能の起動を指示する指示情報が組み込まれている場合もある。
【００５４】
具体的には、たとえば、受信装置１２０に受信されたコンテンツを再生させる機能を起動させる指示情報、受信装置１２０に格納されているアプリケーションを実行させる指示信号、受信装置１２０の各機能部１２１〜１２６や格納されているアプリケーションの設定を変更させる指示情報などが挙げられる。このような指示信号が組み込まれている場合には、制御部１２４は、指示情報の内容に応じて、デジタル放送受信チューナ部１２５ではなく、再生部１２６へ指示信号の出力をおこなう。
【００５５】
また、起動情報に受信装置１２０の主伝送波の受信機能を停止させる指示情報が組み込まれていた場合には、制御部１２４において、起動情報は「停止情報」として扱われ、制御部１２４からデジタル放送受信チューナ部１２５へ停止指示が出力される。
【００５６】
デジタル放送受信チューナ部１２５は、制御部１２４から入力される指示信号に応じて受信機能を起動させ、主伝送波を受信する。そして、デジタル放送受信チューナ部１２５は、主伝送波の受信によりコンテンツを取得し、再生部１２６へ出力する。
【００５７】
再生部１２６は、デジタル放送受信チューナ部１２５から入力されたコンテンツを再生する。また、制御部１２４から指示情報が入力された場合には、入力された指示情報に応じたアプリケーションの実行や設定をおこなう。
【００５８】
このように実施の形態１にかかる配信装置１１０は、受信対象の受信装置１２０を指定する受信装置情報と、受信装置１２０に実行させる処理内容をあらわした指示情報と用いて起動情報を生成する。この起動情報を副伝送波であるＡＣキャリアに組み込むことにより、指定した受信装置１２０にのみコンテンツを受信させることができる。また、受信装置１２０は、通常時はＡＣキャリアを受信する構成になっているため、消費電力を抑えることができる。
【００５９】
つぎに、上述した配信装置１１０における配信処理の手順と、受信装置１２０における受信処理の手順についそれぞれ説明する。
【００６０】
（配信装置の配信処理の手順）
まず、配信装置の配信処理の手順について説明する。図４は、配信装置の配信処理の手順を示すフローチャートである。図４のフローチャートにおいて、まず、起動情報生成部１１２が、起動対象となる受信装置１２０の受信装置情報が設定されたか否かを判断する（ステップＳ４０１）。なお、ステップＳ４０１では、起動対象として、放送波（アナログ、デジタルを問わず）を受信できる所定の条件に該当する一部の受信装置１２０を設定してもよいし、全ての受信装置１２０を設定してもよい。ステップＳ４０１において、受信装置情報が設定されるまで待ち（ステップＳ４０１：Ｎｏのループ）、設定されると（ステップＳ４０１：Ｙｅｓ）、設定された受信装置情報に基づいて起動情報を生成する（ステップＳ４０２）。
【００６１】
ステップＳ４０２の処理により起動情報が生成されると、続いて、デジタル放送配信部１１３において、ＡＣキャリアに起動情報を組み込む（ステップＳ４０３）。さらに、デジタル放送配信部１１３において主伝送波とＡＣキャリアとをマルチプレクスし、デジタル放送波として配信し（ステップＳ４０４）、一連の処理を終了する。
【００６２】
（受信装置の起動処理の手順）
つぎに、受信装置の起動処理について説明する。図５は、受信装置の起動処理の手順を示すフローチャートである。図５のフローチャートにおいて、まず、ＡＣ受信チューナ部１２１によりＡＣキャリアを受信したか否かを判断する（ステップＳ５０１）。ここで、ＡＣキャリアを受信するまで待ち（ステップＳ５０１：Ｎｏのループ）、受信すると（ステップＳ５０１：Ｙｅｓ）、検出部１２２において受信したＡＣキャリアから起動情報を検出したか否かを判断する（ステップＳ５０２）。
【００６３】
ステップＳ５０２において、起動情報が検出されない場合には（ステップＳ５０２：Ｎｏ）、ステップＳ５０１の処理に戻り、再度ＡＣキャリアを受信するまで待機状態となる。起動情報が検出された場合には（ステップＳ５０２：Ｙｅｓ）、制御部１２４において、装置情報格納部１２３から装置情報を読み出し、起動情報と比較する（ステップＳ５０３）。
【００６４】
つぎに、ステップＳ５０３の比較において装置情報が起動情報と一致したか否かを判断する（ステップＳ５０４）。装置情報が起動情報と一致しない場合には（ステップＳ５０４：Ｎｏ）、受信装置１２０は起動対象ではないことから、ステップＳ５０１の処理に戻り、ＡＣキャリアを受信するまで待機状態となる（ステップＳ５０１：Ｎｏのループ）。一方、装置情報が起動情報と一致した場合には（ステップＳ５０４：Ｙｅｓ）、起動情報を受け付けるか否かを判断する（ステップＳ５０５）。
【００６５】
ステップＳ５０５において、起動情報を受け付けないと判断されると（ステップＳ５０５：Ｎｏ）、ステップＳ５０１の処理に戻り、ＡＣキャリアを受信するまで待機状態となる（ステップＳ５０１：Ｎｏのループ）。一方、起動情報を受け付けると判断されると（ステップＳ５０５：Ｙｅｓ）、受け付けた起動情報にチューナ起動情報が含まれていたか否かを判断する（ステップＳ５０６）。チューナ起動情報とは、起動情報に組み込まれている指示情報であって、特に、デジタル放送受信チューナ部１２５の受信機能の起動を指示した情報である。
【００６６】
なお、ステップＳ５０５において、起動情報を受け付けるか否かの判断とは、受信した起動情報に含まれている起動指示を受信装置１２０において実行させるか否かの判断である。具体的には、受信装置１２０の利用者に起動情報を検出したことを報知する。そして、利用者から、起動情報に応じた受信機能の起動を実行させるか否かの指示を受け付ける。すなわち、利用者から起動処理の実行を許可すると指示されれば、起動情報を受け付けると判断し（ステップＳ５０５：Ｙｅｓ）、許可しないと指示されれば、起動情報を受け付けない（ステップＳ５０５：Ｎｏ）と判断される。
【００６７】
フローチャートの処理の説明に戻り、ステップＳ５０６において、起動情報にチューナ起動情報が含まれていない場合には（ステップＳ５０６：Ｎｏ）、ステップＳ５０８の処理に移行する。一方、起動情報にチューナ起動情報が含まれている場合には（ステップＳ５０６：Ｙｅｓ）、デジタル放送受信チューナ部１２５を起動させることにより主伝送波を受信させ（ステップＳ５０７）、ステップＳ５０８の処理へ移行する。
【００６８】
最後に、起動情報の処理内容に応じて、対応する機能部が制御をおこない（ステップＳ５０８）、一連の処理を終了する。なお、ステップＳ５０８は、起動情報にどのような指示情報が含まれているかにより異なる制御をおこなう。たとえば、ステップＳ５０６において、起動情報にチューナ起動情報が含まれていると判断された場合（ステップＳ５０６：Ｙｅｓ）、さらに起動情報にコンテンツ再生を指示する情報が含まれていれば、対応する機能部として制御部１２４が、再生部１２６に受信したコンテンツを再生させる。一方、起動情報にチューナ起動情報のみが組み込まれている場合には、ステップＳ５０８では、制御部１２４はなにも制御をおこなわずにそのまま一連の処理を終了する。
【００６９】
また、起動情報にチューナ起動情報が含まれているか否かにかかわらず、起動情報に、コンテンツを再生させるためのアプリケーションの起動指示や、放送波のチャネル切り替え指示や、設定変更指示など指示情報が組み込まれている場合には、ステップＳ５０８において制御部１２４が、指示情報に応じた処理をおこなうように制御をおこなう。
【００７０】
以上説明したように、実施の形態１の配信装置１１０は、コンテンツの配信にあわせてＡＣキャリアに起動情報を組み込み、デジタル放送波として配信している。また、受信装置１２０は、まずはＡＣキャリアのみを受信し、自装置が受信対象の受信装置１２０であると判断してからはじめてコンテンツを受信するためにデジタル放送受信チューナ部１２５を起動させる。
【００７１】
（起動情報の構成）
つぎに、受信装置１２０に受信機能を起動させる起動情報の構成について詳細に説明する。図６−１および図６−２は、起動情報の構成を示すフレームフォーマット図である。図６−１は、ＡＣキャリアに起動情報が組み込まれているか否かを、検出用パターンを用いてあらわしている。一方、図６−２は、ＡＣキャリアに起動情報が組み込まれているか否かを、起動情報ビットの値を用いてあらわしている。
【００７２】
図６−１のように、ＡＣキャリア６１０は、検出用パターン６１１と、ペイロード６１２とから構成されている。ペイロード６１２は、さらに、対象パラメータＩＤ６１３と、パラメータ長６１４と、パラメータデータ内容６１５とにより構成されている。各データ部６１１〜６１５は下記のような情報が格納されている。
【００７３】
・検出用パターン６１１
ＡＣキャリア６１０に起動情報が組み込みこまれているか否かをあらわすビットパターンにより構成されている。たとえば、「０１０１１」であれば起動情報が組み込まれていることをあらわし、「０１０１１」以外であれば起動情報が組み込まれていないことをあらわす。
【００７４】
・ペイロード６１２
起動情報の具体的な内容をあらわすパラメータデータにより構成されている。
【００７５】
・対象パラメータＩＤ６１３
受信対象となる受信装置１２０の受信装置情報の内容をあらわすＩＤにより構成されている。たとえば、下記のようにＩＤと、ＩＤに対応した機能が設定されている。
【００７６】
０ｘ０１：ＩＰアドレスバーション番号
０ｘ０２：ＩＰアドレス
０ｘ０３：ＩＰアドレスネットマスク
０ｘ０４：ＧＰＳ中心位置（緯度経度）
０ｘ０５：ＧＰＳ半径（エリア半径）
０ｘ０６：性別
０ｘ０７：年齢
０ｘ０８：実行コマンド（指示内容）
０ｘ０９：実行コマンドのパラメータ
０ｘ００：終了（このデータ列の後方に他のデータは配置されていない）
【００７７】
・パラメータ長６１４
パラメータデータ内容６１５の容量をあらわす値によって構成されている。
【００７８】
・パラメータデータ内容６１５
指示情報の内容をあらわす情報により構成されている。
【００７９】
以上のような構成からなるＡＣキャリア６１０が連続して配置されることにより、副伝送波６００として配信される。ＡＣキャリア６１０において、起動情報は固定のキャリア位置に格納されるため、受信装置１２０は、副伝送波６００を受信する際に、検出用パターン６１１部分を監視すればよい。上述したように、検出用パターン６１１が「０１０１１」であれば起動情報が組み込まれていると判断することができる。そして、起動情報が組み込まれていると判断された場合にのみ以下のペイロード６１２を受信することにより、ＡＣ受信チューナ部１２１の消費電力をさらに抑えることができる。
【００８０】
また、図６−２の場合は、検出用パターン６１１に替わり、起動情報ビット６２１を用いたＡＣキャリア６２０をあらわしている。起動情報ビット６２１は、ＡＣキャリアが伝送する制御情報の中で、固定的に割り当てているものである。したがって、起動情報ビット６２１を検出する際には、パターンを検出する必要なく、伝送される制御情報の中で、ある固定位置のビットを監視していればよい。なお、起動情報ビット６２１は、起動情報が組み込まれている場合には「１」、組み込まれていない場合には「０」に設定されている。なお、ＡＣキャリア６２０の場合も、ペイロード６２２（対象パラメータＩＤ６２３、パラメータ長６２４、パラメータデータ内容６２５）は、図６−１に示したＡＣキャリア６１０と同じように構成されている。
【００８１】
このようなＡＣキャリア６２０も、連続して配置されることにより、図６−１の副伝送波６００として配信される。したがって、受信装置１２０は、副伝送波６００を受信する際には、起動情報ビット６２１部分を監視すればよい。起動情報ビット６２１が「１」であれば起動情報が組み込まれていると判断することができる。したがって、検出用パターン６１１の場合と同様に、ＡＣ受信チューナ部１２１の消費電力を抑えることができる。
【００８２】
（ＡＣキャリアを用いた起動情報の配置例）
つぎに、ＡＣキャリアを用いた起動情報の配置例について具体的に説明する。配置例とは、図６−１および図６−２に示したようなＡＣキャリアと主伝送波とをデジタル放送波として配信する際の構成例である。ここでは、１つのＡＣキャリアを利用する場合と、複数のＡＣキャリアを用いる場合とについて説明する。
【００８３】
・１つのＡＣキャリアを利用する場合
まず、１つのＡＣキャリアを利用する場合について説明する。図７は、１つのＡＣキャリアを利用する場合の起動情報の配置例を示すフレーム構成図である。図７のように、デジタル放送波７００のＡＣ１＿１部分には、ＡＣキャリア６１０（６２０）が組み込まれている。デジタル放送波７００において、ＡＣ１＿１部分以外は主伝送波に相当し、コンテンツが格納されている。
【００８４】
つぎに、上述の図７のようなデジタル放送波７００に１つのＡＣキャリア組み込んで配信する際、配信装置１１０における起動情報の格納処理の手順を説明する。図８は、１つのＡＣキャリアを利用する場合の起動情報の格納処理の手順を示すフローチャートである。
【００８５】
図８のフローチャートにおいて、まず、起動情報生成部１１２（図２−１参照）により、起動情報が生成されたか否かを判断する（ステップＳ８０１）。ここで、起動情報が生成されるまで待ち（ステップＳ８０１：Ｎｏのループ）、生成されると（ステップＳ８０１：Ｙｅｓ）、起動情報を格納するＡＣキャリアのアドレスＡＣ１＿ＮにおいてＮ＝１と設定する（ステップＳ８０２）。
【００８６】
つぎに、生成された起動情報のデータを取得し（ステップＳ８０３）、ＡＣキャリアのＡＣ１＿Ｎの中の起動情報の格納位置を確認し（ステップＳ８０４）、起動情報をＡＣ１＿Ｎに格納する（ステップＳ８０５）。最後に、デジタル放送の配信が終了したか否かを判断し（ステップＳ８０６）、終了した場合には（ステップＳ８０６：Ｙｅｓ）、そのまま一連の処理を終了する。
【００８７】
一方、ステップＳ８０６において、デジタル放送は終了していないと判断された場合には（ステップＳ８０６：Ｎｏ）、再度ステップＳ８０３の処理に戻る。このようにして、デジタル放送が終了するまで、繰り返しＡＣ１＿１に起動情報を格納し、配信を継続する。
【００８８】
以上説明したように、１つのＡＣキャリアを利用する場合には、デジタル放送波のＡＣ１＿１の部分に起動情報を格納して配信する。したがって、受信装置１２０のＡＣ受信チューナ部１２１を、ＡＣ１＿１部分を監視するように設定すれば、検出部１２２により起動情報を検出することができるため、省電力でＡＣキャリアを監視することができる。
【００８９】
・複数のＡＣキャリアを利用する場合
つぎに、複数のＡＣキャリアを利用する場合について説明する。図９は、複数のＡＣキャリアを利用する場合の起動情報の配置例を示すフレーム構成図である。図９のように、デジタル放送波９００のＡＣ１＿Ｎ（Ｎ＝１〜４）部分には、ＡＣキャリア６１０（６２０）が組み込まれている。デジタル放送波９００において、ＡＣ１＿Ｎ部分以外は主伝送波に相当し、コンテンツが格納されている。
【００９０】
つぎに、上述の図９のようなデジタル放送波９００に複数のＡＣキャリア組み込んで配信する際、配信装置１１０における起動情報の格納処理の手順を説明する。図１０は、複数のＡＣキャリアを利用する場合の起動情報の格納処理の手順を示すフローチャートである。
【００９１】
図１０のフローチャートにおいて、まず、起動情報生成部１１２（図２−１参照）により、起動情報が生成されたか否かを判断する（ステップＳ１００１）。ここで、起動情報が生成されるまで待ち（ステップＳ１００１：Ｎｏのループ）、生成されると（ステップＳ１００１：Ｙｅｓ）、起動情報を格納するＡＣキャリアのアドレスＡＣ１＿ＮにおいてＮ＝１と設定するとともに、変数Ａ＝４と設定する（ステップＳ１００２）。
【００９２】
つぎに、生成された起動情報のデータを取得し（ステップＳ１００３）、ＮがＡ以下である否かを判断する（ステップＳ１００４）。ここで、ＮがＡ以下すなわち４以下である場合は（ステップＳ１００４：Ｙｅｓ）、そのままステップＳ１００６の処理へ移行する。一方、ＮがＡよりも大きい場合には（ステップＳ１００４：Ｎｏ）、Ｎ＝１と設定し直し（ステップＳ１００５）、ステップＳ１００６の処理へ移行する。
【００９３】
つぎに、ＡＣキャリアのＡＣ１＿Ｎの中の起動情報の格納位置を確認し（ステップＳ１００６）、起動情報をＡＣ１＿Ｎに格納する（ステップＳ１００７）。最後に、デジタル放送の配信が終了したか否かを判断し（ステップＳ１００８）、終了した場合には（ステップＳ１００８：Ｙｅｓ）、そのまま一連の処理を終了する。
【００９４】
一方、ステップＳ１００８において、デジタル放送は終了していないと判断された場合には（ステップＳ１００８：Ｎｏ）、Ｎにインクリメントして（ステップＳ１００９）、再度ステップＳ１００３の処理に戻る。このように、デジタル放送波９００に用意されたＡＣ１＿Ｎ部分に順番に起動情報を格納していく。
【００９５】
以上説明したように、複数のＡＣキャリアを利用する場合には、受信装置１２０においてＡＣ１＿Ｎ（１〜４）部分を監視するように設定する必要があるが、１つのＡＣキャリアを利用する場合よりも、高頻度にＡＣキャリアを受信することができる。
【００９６】
（実施の形態２）
実施の形態２は、デジタル放送波の副伝送波とアナログ放送の副伝送波を併用して指定した受信装置１２０へコンテンツを配信する。ここでは、アナログ放送波の副伝送波としてサブキャリアを利用する。
【００９７】
（配信装置の機能的構成）
まず、実施の形態２おける配信装置１１０の機能的構成について説明する。実施の形態２の配信装置１１０は、実施の形態１の配信装置１１０にアナログ放送波を配信するためにアナログ放送コンテンツ取得部１１４と、サブキャリア生成部１１５と、アナログ放送配信部１１６とを追加した構成である。
【００９８】
アナログ放送コンテンツ取得部１１４は、コンテンツ配信元からアナログ放送用のコンテンツを取得する。取得されたコンテンツは、主伝送波に格納され、アナログ放送配信部１１６へ出力される。
【００９９】
サブキャリア生成部１１５は、副伝送波として所定の周波数からなるサブキャリアを生成する。そして、サブキャリア生成部１１５は、生成したサブキャリアに、起動情報生成部１１２により生成された起動情報を組み込む。起動情報が組み込まれたサブキャリアは、アナログ放送配信部１１６へ出力される。
【０１００】
なお、上述したようにサブキャリアに組み込まれる起動情報は、起動情報生成部１１２から入力された情報である。したがって、起動情報によって受信装置１２０に受信させたいコンテンツは、アナログ放送用のコンテンツではく、デジタル放送用のコンテンツである。このように、アナログ放送波を利用して、デジタル放送波のコンテンツを指定した受信装置１２０に自動受信させることもできる。
【０１０１】
なお、上述のように、本実施の形態では、デジタル放送のコンテンツを受信する際の自動起動について説明しているが、本発明は、アナログ放送のコンテンツの受信にかかるチューナの自動起動にも適用させることもできる。このような場合は、起動情報生成部１１２において、アナログ放送用の受信装置情報と指示情報と取得して起動情報を生成する。
【０１０２】
アナログ放送配信部１１６は、アナログ放送コンテンツ取得部１１４から出力された主伝送波と、サブキャリア生成部１１５から出力されたサブキャリアとによりアナログ放送波を構成し、受信装置１２０へ配信する。
【０１０３】
（受信装置の機能的構成）
つぎに、受信装置１２０の機能的構成について説明する。実施の形態２の配信装置１１０は、実施の形態１の配信装置１１０にアナログ放送波を受信するため、サブキャリア受信チューナ部１２７と、アナログ放送受信チューナ部１２８とを追加した構成である。
【０１０４】
サブキャリア受信チューナ部１２７は、配信装置１１０から配信されたアナログ放送波からサブキャリアのみを受信する。なおサブキャリア受信チューナ部１２７は、常時サブキャリアを受信できるように受信機能を起動させた状態にしておく。このとき、受信対象となるサブキャリアは、特定の周波数の電波である。したがって、常時受信機能を起動させた状態であっても、サブキャリア受信チューナ部１２７は、主伝送波を受信するアナログ放送受信チューナ部１２８よりも少ない電力で動作させることができる。
【０１０５】
サブキャリア受信チューナ部１２７は、サブキャリアを受信すると検出部１２２へ出力する。検出部１２２は、ＡＣキャリアと同様に、サブキャリア受信チューナ部１２７から起動情報を検出する。検出後の制御部１２４、デジタル放送受信チューナ部１２５、再生部１２６における処理は、実施の形態１と同じであるため説明を省略する。
【０１０６】
アナログ放送受信チューナ部１２８は、利用者から起動処理が施されると、アナログ放送波を受信し、アナログ放送用のコンテンツを取得する。取得されたアナログ放送用のコンテンツは、再生部１２６へ出力される。なお、上述したように、起動情報によって、アナログ放送波を受信するチューナを起動させる場合には、制御部１２４によってアナログ放送受信チューナ部１２８の起動制御ができるような構成にする。そして、起動情報に含まれているチューナ起動情報（アナログチューナ用）に応じてアナログ放送受信チューナ部１２８が自動的に起動され、再生部１２６では、アナログ放送波のコンテンツが自動的に再生される。
【０１０７】
（配信装置の配信処理の手順）
つぎに、実施の形態２における配信装置１１０の配信処理の手順について説明する。図１１は、アナログ放送波を併用した場合の配信装置の配信処理の手順を示すフローチャートである。図１１のフローチャートにおいて、まず、起動情報生成部１１２が、起動対象となる受信装置１２０の受信装置情報が設定されたか否かを判断する（ステップＳ１１０１）。ここで、受信装置情報が設定されるまで待ち（ステップＳ１１０１：Ｎｏのループ）、設定されると（ステップＳ１１０１：Ｙｅｓ）、設定された受信装置情報に基づいて起動情報を生成する（ステップＳ１１０２）。ステップＳ１１０２の処理により起動情報が生成されると、つぎに、デジタル放送用とアナログ放送用のそれぞれの配信処理をおこなう。
【０１０８】
まず、デジタル放送用の配信処理として、デジタル放送配信部１１３において、ＡＣキャリアに起動情報を組み込み（ステップＳ１１０３）、ＡＣキャリアと主伝送波とをマルチプレクスすることによりデジタル放送波を構成し、受信装置１２０へ配信し（ステップＳ１１０４）、一連のデジタル放送用の配信処理を終了する。
【０１０９】
実施の形態２では、ステップＳ１１０３およびステップＳ１１０４の処理と同時にアナログ放送用の配信処理もおこなわれる。まず、サブキャリア生成部１１５において、サブキャリアに起動情報を組み込む（ステップＳ１１０５）。そして、アナログ放送配信部１１６において、主伝送波とサブキャリアとにより、アナログ放送波を構成し、受信装置１２０へ配信し（ステップＳ１１０６）、一連のアナログ放送用の配信処理を終了する。
【０１１０】
（受信装置の受信処理の手順）
つぎに、実施の形態２における受信装置１２０の受信処理の手順について説明する。実施の形態２においてデジタル放送波の受信処理は、図５のフローチャートの処理がそのまま実行される。一方、アナログ放送波の受信処理は、サブキャリア受信チューナ部１２７において、サブキャリアを受信したか否かの判断がおこなわれる。ここで、サブキャリアを受信するまで待機し、受信すると、受信したサブキャリアを検出部１２２へ出力する。検出部１２２へ出力されたサブキャリアは、図５のフローチャートのステップＳ５０２以降の処理と同様の処理が各機能部１２１〜１２５により実行される。
【０１１１】
このように、実施の形態２ではデジタル放送波の副伝送波と、アナログ放送波の副伝送波とを併用する。このような構成により、デジタル放送波もしくはアナログ放送波のいずれかを受信できれば、片方の放送波の電波状況が不安定であっても、受信装置１２０が、起動情報を受信できないような事態を回避することができる。
【０１１２】
たとえデジタル放送波の電波状況が悪く受信できないような場合であっても、受信装置１２０は、アナログ放送波により起動情報を受信することができる。アナログ放送波により起動情報を受信しておくことにより、デジタル放送波の電波状況が改善した際に、いち早くデジタル放送波のコンテンツを受信できるように受信装置１２０の受信機能を起動させておくことができる。
【０１１３】
以上説明したように、配信装置、受信装置、起動方法および起動プログラムによれば、放送波を用いて個別に指定した受信装置のみがコンテンツを受信できるような起動指示を配信することができる。なおかつ、コンテンツ受信時よりも少ない消費電力で起動指示を受信することもできる。
【０１１４】
なお、本実施の形態で説明した起動方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１１５】
以上のように、本発明にかかる配信装置、受信装置、起動方法および起動プログラムは、デジタル放送波の配信エリアにおけるコンテンツ配信に有用であり、特に、複数のコンテンツが多重化された地上デジタル放送波の自動受信に適している。
【図面の簡単な説明】
【０１１６】
【図１】本発明のシステム構成の概要を示す説明図である。
【図２−１】配信装置の機能的構成を示すブロック図である。
【図２−２】組込部の構成の一例を示すブロック図である。
【図３】受信装置の機能的構成を示すブロック図である。
【図４】配信装置の配信処理の手順を示すフローチャートである。
【図５】受信装置の起動処理の手順を示すフローチャートである。
【図６−１】起動情報の構成を示すフレームフォーマット図（その１）である。
【図６−２】起動情報の構成を示すフレームフォーマット図（その２）である。
【図７】１つのＡＣキャリアを利用する場合の起動情報の配置例を示すフレーム構成図である。
【図８】１つのＡＣキャリアを利用する場合の起動情報の格納処理の手順を示すフローチャートである。
【図９】複数のＡＣキャリアを利用する場合の起動情報の配置例を示すフレーム構成図である。
【図１０】複数のＡＣキャリアを利用する場合の起動情報の格納処理の手順を示すフローチャートである。
【図１１】アナログ放送波を併用した場合の配信装置の配信処理の手順を示すフローチャートである。
【符号の説明】
【０１１７】
１１０  配信装置
１１１  デジタル放送コンテンツ取得部
１１２  起動情報取得部
１１３  デジタル放送配信部
１１４  アナログ放送コンテンツ取得部
１１５  サブキャリア生成部
１１６  アナログ放送配信部
１２０  受信装置
１２１  ＡＣ受信チューナ部
１２２  検出部
１２３  装置情報格納部
１２４  制御部
１２５  デジタル放送受信チューナ部
１２６  再生部
１２７  サブキャリア受信チューナ部
１２８  アナログ放送受信チューナ部
１３０  中継装置
２０１  マルチプレクサ
２０２  ＯＦＤＭ変調器
【図１】
2008252394.tif 000003
【図２−１】
2008252394.tif 000004
【図２−２】
2008252394.tif 000005
【図３】
2008252394.tif 000006
【図４】
2008252394.tif 000007
【図５】
2008252394.tif 000008
【図６−１】
2008252394.tif 000009
【図６−２】
2008252394.tif 000010
【図７】
2008252394.tif 000011
【図８】
2008252394.tif 000012
【図９】
2008252394.tif 000013
【図１０】
2008252394.tif 000014
【図１１】
2008252394.tif 000015